(57)【要約】【課題】ケーブルクロージャの内部が浸水した場合でも光ケーブルの接続部を保護する。【解決手段】ケーブルクロージャ１内部に、一体成型されたインナースリーブ２の開口部の下に向けて配置し、光ケーブル５１の接続部をインナースリーブ２の内部に収容する。これにより、ケーブルクロージャ１内部が浸水した場合でも、インナースリーブ２で囲まれた空間に空気が保持されるので、光ケーブル５１の接続部が水に触れることを抑制することが可能となる。【選択図】図１
2009025341.tif 000002
【特許請求の範囲】
【請求項１】
光ケーブル同士を接続する接続部を保護するケーブルクロージャであって、
内部に一体成型された容器状のインナースリーブを有し、
前記インナースリーブは開口部を備え、当該開口部を下に向けて配置するとともに、前記インナースリーブ内に前記接続部を収容することを特徴とするケーブルクロージャ。
【請求項２】
前記接続部を前記開口部よりも上方へリフトアップするリフトアップ手段を備えたことを特徴とする請求項１記載のケーブルクロージャ。
【請求項３】
前記インナースリーブ内に前記接続部を把持する把持部を有することを特徴とする請求項１記載のケーブルクロージャ。
【発明の詳細な説明】
【技術分野】
【０００１】
本発明は、光ケーブルの接続部を収納するケーブルクロージャに関する。
【背景技術】
【０００２】
光ケーブル同士を接続する方法としては、融着する方法やコネクタにより接続する方法がある。光ケーブル同士を接続する際には、光ケーブルの被覆部材を取り除いて心線を露出させて接続する。コネクタや心線は浸水することにより劣化するため、ケーブルクロージャを用いて光ケーブルの接続部を収納して保護する。ケーブルクロージャは、柱上で空中に設置されるだけでなく、マンホール内にも設置されることがある。そのため、ケーブルクロージャは、十分な水密性が保たれるように設計される（例えば特許文献１参照）。
【０００３】
図３は、従来のケーブルクロージャを示す斜視図である。同図に示すケーブルクロージャ１００は、光ケーブルの軸方向に２分割されたスリーブ１１１，１１２と、スリーブ１１１，１１２の両端を密閉するプレート１２１，１２２を備える。
【０００４】
光ケーブルの接続部を収納する場合、一方のプレート１２１，１２２と他方のプレート（図示せず）のそれぞれで光ケーブルを把持し、接続部がケーブルクロージャ１００内に収まるように、上下からスリーブ１１１，１１２で挟み込んで一体化する。なお、ケーブルクロージャ１００内に水が侵入しないように水密性を持たせるため、上下のスリーブ１１１，１１２間にガスケット（パッキン）を備える。
【特許文献１】特開平１０−２４６８１６号公報
【発明の開示】
【発明が解決しようとする課題】
【０００５】
しかしながら、マンホール内に配置されたケーブルクロージャ内が侵水し、光ケーブルの接続部が劣化したケースが発生している。新たな分岐ケーブルを構築する場合、ケーブルクロージャを開けて作業を行い、浸水を防止するためのスリーブ間のガスケットを取り替えてケーブルクロージャを閉じる。その際、構造上、何かを挟み込んだり、隙間が発生することが原因であると考えられる。
【０００６】
特許文献１に示すような従来のケーブルクロージャでは、十分な水密性を考慮して設計されているが、ケーブルクロージャ内が浸水してしまった場合については考慮されていない。
【０００７】
本発明は、上記に鑑みてなされたものであり、その課題とするところは、ケーブルクロージャ内が浸水した場合でも接続部や光ケーブル心線が浸水しないケーブルクロージャを提供することにある。
【課題を解決するための手段】
【０００８】
本発明に係るケーブルクロージャは、光ケーブル同士を接続する接続部を保護するケーブルクロージャであって、内部に一体成型された容器状のインナースリーブを有し、インナースリーブは開口部を備え、当該開口部を下に向けて配置するとともに、インナースリーブ内に接続部を収容することを特徴とする。
【０００９】
本発明にあっては、一体成型された容器状のインナースリーブの開口部を下に向けてケーブルクロージャ内部に配置し、そのインナースリーブの内部に光ケーブルの接続部を収容することにより、ケーブルクロージャが浸水した場合でも、インナースリーブ内に空気が保持されるので、インナースリーブ内に収容した接続部が水に触れることを抑制できる。
【００１０】
上記ケーブルクロージャにおいて、接続部を開口部よりも上方へリフトアップするリフトアップ手段を備えたことを特徴とする。
【００１１】
本発明にあっては、接続部をインナースリーブ内へリフトアップするリフトアップ手段を備えることにより、より確実に接続部をインナースリーブ内へ収容することを可能とする。
【００１２】
上記ケーブルクロージャにおいて、インナースリーブ内に接続部を把持する把持部を有することを特徴とする。
【００１３】
本発明にあっては、インナースリーブの内部に接続部を把持する把持部を備えることにより、より確実に接続部をインナースリーブ内へ収容することを可能とする。
【発明の効果】
【００１４】
本発明によれば、ケーブルクロージャ内が浸水した場合でも接続部や光ケーブル心線が浸水しないケーブルクロージャを提供することができる。
【発明を実施するための最良の形態】
【００１５】
以下、本発明の実施の形態について図面を用いて説明する。
【００１６】
図１は、本実施の形態におけるケーブルクロージャの構成を示す分解斜視図である。同図に示すケーブルクロージャ１は、インナースリーブ２、スリーブ１１，１２およびプレート２１，２２，３１，３２を備える。本ケーブルクロージャ１は、光ケーブル５１の接続部を内部に収納し、その接続部を保護するものである。光ケーブル５１は、被覆部材を取り除き心線５２を露出させてＭＴコネクタ５３により接続される。
【００１７】
インナースリーブ２は、半円筒形の両端を閉じた形状の一体成型された容器であり、開口部を下に向けてケーブルクロージャ１内に配置される。開口部から心線５２とＭＴコネクタ５３を含む接続部をインナースリーブ２内に収容する。
【００１８】
プレート２１，２２，３１，３２は、中心部に光ケーブル５１を通す穴が空いた円板を２つに分割したものである。２枚のプレート２１，２２により一方の光ケーブル５１を把持し、別の２枚のプレート３１，３２により他方の光ケーブル５１を把持する。
【００１９】
スリーブ１１，１２は、円筒を中心軸に沿って２分割したものである。プレート２１，２２とプレート３１，３２のそれぞれがスリーブ１１，１２の両端になるようにスリーブ１１，１２でインナースリーブ２を挟み込む。接合するスリーブ１１，１２間およびスリーブ１１，１２とプレート２１，２２，３１，３２間にガスケットを配置して水密性を保つ。
【００２０】
このように、スレーブ１１，１２およびプレート２１，２２，３１，３２を一体化させることにより、ケーブルクロージャ１内への浸水を防ぐとともに、一体成型されたインナースリーブ２の開口部を下に向け、その中に接続部を収容することで、ケーブルクロージャ１内が浸水した場合でも、インナースリーブ２に収容された接続部が水に触れることを抑制することができる。
【００２１】
これは、バケツの開口部を下に向けて水中に沈めた場合でもバケツの内側には空気が保たれているのと同様に、一体成型されたインナースリーブ２が空気を保持するからである。
【００２２】
なお、ケーブルクロージャ１は、図１に示したもの以外に光ケーブル５１を固定するフレーム、光ケーブル５１あるいは心線５２の余長部分を収納する余長収納部などを備える。
【００２３】
また、インナースリーブ２内に心線５２およびＭＴコネクタ５３を確実に収容するために、光ケーブル５１、心線５２およびＭＴコネクタ５３をインナースリーブ２内へリフトアップするフレーム、あるいは、インナースリーブ２内に光ケーブル５１の接続部を固定する固定フレームなどを備えてもよい。
【００２４】
インナースリーブ２の形状は、図１に示したものに限らず、接続部を収容する空間を備えた一体成型の容器であればよい。
【００２５】
図１に示すケーブルクロージャ１は、従来のケーブルクロージャのスリーブなどを利用しつつ、インナースリーブ２を備えたものであり、工事者は、ケーブルクロージャ１を閉じる際に従来と同様の手順を行えばよく、利便性が高い。
【００２６】
図２は、本実施の形態におけるケーブルクロージャをマンホール内に配置した様子を示す模式図である。同図に示すように、管路から引き出された光ケーブル５１は、マンホール２００内でケーブルクロージャ１により接続される。マンホール２００が水２１０で満たされた場合であっても、ケーブルクロージャ１内のインナースリーブ２において空気が保持されるので、光ケーブル５１の接続部が水に触れることがない。
【００２７】
したがって、本実施の形態によれば、ケーブルクロージャ１内部に、一体成型されたインナースリーブ２の開口部の下に向けて配置し、光ケーブル５１の接続部をインナースリーブ２の内部に収容することにより、ケーブルクロージャ１内部が浸水した場合でも、インナースリーブ２で囲まれた空間に空気が保持されるので、光ケーブル５１の接続部が水に触れることを抑制することが可能となる。
【図面の簡単な説明】
【００２８】
【図１】一実施の形態におけるケーブルクロージャの構成を示す分解斜視図である。
【図２】図１のケーブルクロージャをマンホール内に設置した様子を示す模式図である。
【図３】従来のケーブルクロージャを示す斜視図である。
【符号の説明】
【００２９】
１…ケーブルクロージャ
２…インナースリーブ
１１，１２…スリーブ
２１，２２，３１，３２…プレート
５１…光ケーブル
５２…心線
５３…ＭＴコネクタ
【図１】
2009025341.tif 000003
【図２】
2009025341.tif 000004
【図３】
2009025341.tif 000005